(57)【特許請求の範囲】
【請求項１】
梱包用箱（Ｋ）の内底に対応する大きさの正方形状の段ボールからなるベース板（１）の対角線上に、ベース板（１）の各隅部に向かって各々折り返される被梱包物拘束部（２）（２）（２）（２）が切り起こし形成され、該被梱包物拘束部（２）に被梱包物抑え片（３）が突設される一方、前記ベース板（１）に（１）に前記各被梱包物拘束部（２）に係合してその折り返し状態を保持する係止片（６）が切り起こし形成され、
前記被梱包物拘束部（２）は、立壁部（２ａ）と該立壁部（２ａ）の上縁から連設された上壁部（２ｂ）とからなり、上壁部（２ｂ）の先端に前記係止片（６）に係合する係止用切欠部（５）が設けられる一方、他端にベース板（１）中央に向かう被梱包物抑え片（３）が連設されてなると共に、
前記各上壁部（２ｂ）の左右一対の先端斜辺が、被梱包物拘束部（２）の所期する組立状態の下で、ベース板（１）の二辺に対応するものと設定されていることを特徴とする梱包用箱における被梱包物拘束保持具。
【発明の詳細な説明】
【０００１】
【発明の属する技術分野】
この発明は、例えば円環状の蛍光灯を備えると共に基板自体が円板状である照明器具や、衛星放送等の電波を受信するための底深円形皿状のパラボラアンテナ等を梱包する際に、それら被梱包物を段ボール箱等の梱包用箱に拘束保持するために用いられる梱包用箱における被梱包物拘束保持具に関する。
【０００２】
【従来の技術と課題】
従来、この種の被梱包物拘束保持具として、図１０及び図１１に示すように、梱包用箱（Ｋ）の内底に対応する大きさの段ボール製ベース板（７１）と該ベース板（７１）に係合されるパルプモールド製係合部材（７２）との組み合わせからなり、該パルプモールド製係合部材（７２）は、上端が半球状に形成された上部（７３）の下縁に鍔状台座部（７４）が設けられ、該鍔状台座部（７４）の下縁に扁平鍔部（７５）が設けられた形態に形成されてなり、前記鍔状台座部（７４）は、その外周面が被梱包物である照明器具（Ｌ）の基板（８０）中央部の配線器具突出用窓孔（図示省略）の内縁に当接するものと設定される一方、ベース板（７１）は、その中央部にパルプモールド製係合部材（７２）の鍔状台座部（７４）を突出せしめる円形の窓孔（図示省略）が穿設されてなる被梱包物拘束保持具（Ｚ）が公知である。
【０００３】
この被梱包物拘束保持具（Ｚ）は、パルプモールド製係合部材（７２）を梱包用箱の内底中央に載置し、前記ベース板（７１）をその中央部の円形の窓孔から鍔状台座部（７４）を突出させるようにしてパルプモールド製係合部材（７２）に嵌め込んで梱包用箱（Ｋ）内に設置した後、照明器具（Ｌ）をその基板（８０）中央部の配線器具突出用窓孔から前記鍔状台座部（７４）を突出させるようにしてベース板（７１）に載置することにより照明器具（Ｌ）の水平方向の移動を阻止するものとなされたものである。従って、操作性には優れているものであった。
【０００４】
ところが、このような拘束保持具（Ｚ）は、照明器具（Ｌ）の水平方向の移動を抑制することはできるが、上方への移動は抑制できないという問題点を有している。また、ベース板（７１）とパルプモールド製係合部材（７２）との組み合わせからなるものであるから、使用に供する迄は常に両者を一対のものとして保管、管理しなければならず、しかも立体的なパルプモールド製係合部材（７２）を扁平に折り畳んだりすることはできないから保管スペースも多くを要するものであった。また、パルプモールド製係合部材（７２）は、それ自体の製作費が一個あたり数十円も掛かるものであるところから、そのコストの削減を図ることが望まれていた。
【０００５】
この発明は、このような事情に鑑みてなされたもので、１枚の段ボールのみから作製することができて、前記従来品に比べてコストの大幅な削減を図れ、保管、管理上便利であることはもとより、扁平状態から所期する形態に簡単に組み立てることができ、しかも被梱包物を水平方向のみならず上方への移動も阻止することができる被梱包物拘束保持具を提供することを目的とするものである。
【０００６】
【課題を解決するための手段】
而して、この発明は、上記目的を達成するために、被梱包物拘束保持具を１枚の段ボールからなるものとし、簡単な折り返し操作等によって所期する形態に組み立てて使用することができるものとした。
【０００７】
すなわち、この発明は、梱包用箱の内底に対応する大きさの正方形状の段ボールからなるベース板の対角線上に、ベース板の各隅部に向かって各々折り返される被梱包物拘束部が切り起こし形成され、該被梱包物拘束部に被梱包物抑え片が突設される一方、前記ベース板に前記各被梱包物拘束部に係合してその折り返し状態を保持する係止片が切り起こし形成され、被梱包物拘束部は、立壁部と該立壁部の上縁から連設された上壁部とからなり、上壁部の先端に前記係止片に係合する係止用切欠部が設けられる一方、他端にベース板中央に向かう被梱包物抑え片が連設されてなると共に、前記各上壁部の先端斜辺が、被梱包物拘束部の所期する組立状態の下で、ベース板の二辺に対応するものと設定されていることを特徴とする梱包用箱における被梱包物拘束保持具を要旨とする。
【０００８】
この構成によれば、各被梱包物拘束部をベース板から切り起こして折り返し、その折り返し状態を同じくベース板から切り起こした係止片を折り返しに部に係合させることにより、ステープルや接着剤を用いることなく被梱包物拘束部の折り返し状態を保持することができる。そしては、被梱包物をその周囲に被梱包物拘束部が位置するようにベース板上に載置することにより、各被梱包物拘束部が被梱包物に当接し、被梱包物の水平方向への移動を確実に抑制することができる。また、被梱包物拘束部には、被梱包物抑え片が突設されているので、ベース板に対する被梱包物の上方への移動を確実に抑制することができる。
【０００９】
また、被梱包物拘束部が、立壁部と該立壁部の上縁から連設された上壁部とからなり、上壁部の先端に前記係止片に係合する係止用切欠部が設けられる一方、他端にベース板中央に向かう被梱包物抑え片が連設されてなると共に、前記各上壁部の左右一対の先端斜辺が、被梱包物拘束部の所期する組立状態の下で、ベース板の二辺に対応するものと設定されているから、立壁部の高さを被梱包物の所定高さに設定することにより、被梱包物を確実に拘束できることはもとより、上壁部の一端に被梱包物抑え片が、ベース板中央に向かうように連設されていることから、被梱包物拘束部の折り返し操作により被梱包物抑え片を自動的にベース板中央に向かって突出させることができる。
【００１０】
【発明の実施の形態】
以下、この発明を図面に示す実施の形態に基づいて説明する。
【００１１】
図１は、この発明に係る被梱包物拘束保持具（Ａ）の組み立て途上を示すもので、梱包用箱（Ｋ）の内底に対応する大きさの正方形の段ボ−ルからなるベース板（１）の一対の対角線上に切り起こし形成された４個の被梱包物拘束部（２）（２）（２）（２）が、そのうちの一つを残したままベース板（１）の隅部に向かって折り返されると共に、ベース板（１）に切り起こし形成された係止片（６６）（６）に係止されることにより、その折り返し状態が保持されている。ベース板（１）は、その一辺と段ボールの段とが平行となるように丁取りされ、各被梱包物拘束部（２）においては、前記段が斜めに走り、各被梱包物拘束部（２）の強度は均一となるものと設定されている。
【００１２】
被梱包物拘束部（２）は、立壁部（２ａ）の上縁から折目を介して連設された上壁部（２ｂ）がベース板（１）の隅部に向かって折り返されてなるもので、該上壁部（２ｂ）にその折り返し状態においてベース板（１）の中央部に向かう被梱包物抑え片（３）が突設されている。この立壁部（２ａ）の高さは、被梱包物抑え片（３）の基端部が被梱包物である照明器具（Ｌ）の基板周縁突条部（８０ａ）に当接するものと設定されている。前記被梱包物抑え片（３）は、前記上壁部（２ｂ）の基端部に連設されたもので、図４に展開状態で示すように、立壁部（２ａ）と上壁部（２ｂ）との間の折目（１３）を分断すると共に立壁部（２ａ）を左右に分断する態様で切り起こし形成されている。
【００１３】
また、上壁部（２ｂ）は、先端部にベース板（１）の係止片（６）に係合する係止用切欠部（５）が設けられており、該係止用切欠部（５）を形成するために、図５に示すように、被梱包物拘束部（２）を切り起こすための切目（１１）が、上壁部（２ｂ）の先端部において該先端部を上方として基端部に向かって落ち込んだ凹状となされている。上壁部（２ｂ）の先端部は左右一対の斜辺を有し、該左右一対の斜辺は、被梱包物拘束部（２）が所期する形態に組み立てられた際に、ベース板（１）の二辺に対応するものと設定されている。これに対応して、前記切目（１１）は、上壁部（２ｂ）の先端部においては左右一対の斜状に設定されている。さらに、上壁部（２ｂ）の長さ方向中央よりやや基端部寄りに、後述するセード拘束部材（Ｃ）の立設用係合突片（４３）（４３）…が嵌合される係合孔（４）が切り落とし形成されるものとなされている。
【００１４】
ベース板（１）の四隅に設けられた係止片（６）は、図５に示すようにベース板（１）に切り起こし形成されたもので、ベース板（１）の角を頂部とする頭部（６ａ）と、その下方に連設された脚部（６ｂ）とからなり、全体として矢印状に形成されている。
【００１５】
図５に示す展開状態の平面図において、（１４）は、被梱包物抑え片（３）を切り起こすためのコ字状切目、（１５）は、係止片（６）を切り起こすための左右一対の切目、（１６）は、切り起こした係止片（６）をベース板（１）から曲折して起立させるための折目、（１７）は、係合孔（４）を形成するための切目、（１８）は、蛍光灯点滅操作用紐を係止するための切目、（１９）は、配線器具保持用十字状切目である。
【００１６】
この図示実施の形態における被梱包物拘束保持具（Ａ）は、セード付きの照明器具（Ｌ）を梱包する際に用いられるもので、その梱包に併せて用いられる蛍光灯拘束部材（Ｂ）や、セード拘束部材（Ｃ）についても説明すると、蛍光灯拘束部材（Ｂ）は図２に示すように照明器具（Ｌ）の基板（８０）にセットされた複数本の蛍光灯（８１）（８１）（８１）を所定位置に拘束して、蛍光灯（８１）…の損傷を防止するために用いられるものである。一方、セード拘束部材（Ｃ）は、図７に示すように、前記蛍光灯拘束部材（Ｂ）を装着した照明器具本体上に載置されたセード（Ｓ）を拘束するために用いられるものである。
【００１７】
前記蛍光灯拘束部材（Ｂ）は、図２に示すように、段ボール製の一対の拘束部材構成体（２０）（２１）が互いに十字状に組み合わされてなるもので、両構成体（２０）（２１）は、図６に展開状態で示すように、下端が梱包用箱（Ｋ）の内底に当接するものと設定された中央脚部（２２）と、該中央脚部（２２）の上端部の左右に連設された一対の翼状の蛍光灯抑え片（２３）（２３）とを備え、中央脚部（２２）の上縁と蛍光灯抑え片（２３）（２３）との上縁は一連の円弧状に形成され、セード（）の内面に沿うものとなされている。
【００１８】
前記各構成体（２０）（２１）の中央脚部（２２）は、両構成体（２０）（２１）が十字状に組み合わされるように、一方の構成体（２０）中央脚部（２２）の幅方向中央部に上端から下方に向かって、中央脚部の高さの１／２の長さを有する切り溝（２４）が設けられる一方、他方の構成体（２１）の中央脚部（２２）の幅方向中央部に下端から上方に向かって、中央脚部（２２）の高さの１／２の長さを有する切り溝（２５）が設けられている。
【００１９】
前記蛍光灯抑え片（２３）は、下縁に照明器具（Ｌ）の所定位置にセットされた蛍光灯（８１）（８１）（８１）に当接する円弧状に形成された当接部（２６）（２６）（２６）を備えると共に、各当接部間に、隣接する蛍光灯（８１）（８１）（８１）どうしの接触を防止する接触防止片（２７）（２７）が下向きに突設されている。
【００２０】
前記セード拘束部材（Ｃ）は、１枚の段ボールから作製されてなるもので、セード（Ｓ）の周縁に当接する八面の壁面（３１）（３２）（３３）…を備えて、セード（Ｓ）の水平方向への動きを拘束すると共に、各壁面（３１）（３２）（３３）…はその上縁が、梱包用箱の閉蓋状態において蓋片内面に当接して、梱包用箱の上方から加えられる圧力に抗しうるものとなされている。このセード拘束部材（Ｃ）は、図９に展開状態で示すように、折目（５１）（５１）（５１）を介して横一連に連設された４つの壁面（３１）（３２）（３３）（３４）と、同じく折目（５２）（５２）（５２）を介して横一連に連設された４つの壁面（３５）（３６）（３７）（３８）とが、切目（５０）を挟んで線対称的に配置されている。また、上記壁面（３１）（３２）（３３）…は、下縁に被梱包物拘束部（２）の上壁部（２ｂ）に設けられた係合孔（４）に嵌合する立設用係合突片（４３）を備えた壁面（３２）（３４）（３５）（３７）と、立設用係合突片（４３）を備えない壁面（３１）（３３）（３６）（３８）とが交互に配置されている。さらに、各々の両端の壁面（３１）（３４）（３５）（３８）の端縁に折目（５３）  （５３）（５４）（５４）を介して短冊状の連結片（３９）（４０）（４１）（４２）が連設され、壁面（３１）（３４）（３５）（３８）の端部において対応する連結片どうしはその上縁において折目（５５）（５５）を介して連設されている。
【００２１】
このセード拘束部材（Ｃ）は、使用に供する迄の間は、前記展開状態から切目（５０）及び連結片（３１）（３４）（３５）（３８）上縁の折目（５５）（５５）から二つ折りにされ、その際に重合する連結片（３９）（４１）、（４０）（４２）どうしをステープル等により結合された扁平状態で保管、管理される。
【００２２】
而して、上記構成を有する被梱包物拘束保持具（Ａ）、蛍光灯拘束部材（Ｂ）及びセード拘束部材（Ｃ）の使用方法について説明すると、まず、梱包用箱（Ｋ）外において、被梱包物拘束保持具（Ａ）の各被梱包物拘束部（２）の上壁部（２ｂ）、立壁部（２ａ）及び被梱包物抑え片（３）を切目（１１）（１４）に沿って切り起こし、立壁部（２ａ）を折目（１２）から折り曲げてベース板（１）に起立させ、上壁部（２ｂ）を折目（１３）からベース板（１）の隅部に向かって折り返すと、被梱包物抑え片（３）が上壁部（２ｂ）からベース板（１）の中央に向かって突出することになる。そして、ベース板（１）隅部の係止片（６）を切目（１５）（１５）から切り起こし、折目（１６）から折り曲げて起立させた後、その脚部（６ｂ）を前記折り返された上壁部（２ｂ）の係止用切欠部（５）に係合させると、上壁部（２ｂ）の係止用切欠部近傍が前記係止片（６）の頭部（６ａ）の下縁に当接し、段ボールの復元反発力により係止用切欠部（５）と係止片（６）との係合の保持、すなわち被梱包物拘束部（２）の所期する形態の保持がなされるものとなる。
【００２３】
そして、全ての被梱包物拘束部（２）…を切り起こして、前記所期する形態に組み立てた後、天地を逆にした照明器具基板（８０）を水平状態から斜めに傾けながら、その一端部を一つの被梱包物抑え片（３）の下方に潜り込ませた後、他の被梱包物抑え片（３）（３）（３）を上方に跳ね上げ、照明器具基板（８０）をこれら梱包物抑え片（３）（３）（３）の下方に潜り込ませるようにしてベース板（１）上に載置すると、跳ね上げられた被梱包物抑え片（３）…が上壁部（２ｂ）…と同一平面上に復帰する。この載置状態において、照明器具基板の周縁突状部が被梱包物拘束部の立壁部（２ａ）（２ａ）（２ａ）（２ａ）と被梱包物抑え片（３）（３）（３）（３）の下面に当接するので、照明器具基板（８０）は、水平方向への移動が抑制される共に、上方への移動も抑制される。このようにして、被梱包物拘束具（Ａ）に固定された照明器具（Ｌ）を被梱包物拘束具（Ａ）ごと梱包用箱（Ｋ）内に収納する。
【００２４】
次に、蛍光灯拘束部材（Ｂ）の一方の構成体（２０）の中央脚部（２２）の上方から他方の構成体（２１）の中央脚部（２２）を互いの切り溝（２４）（２５）どうしを交差させて、一方の切り溝（２４）に他方の構成体（２１）の中央脚部（２２）の上部を嵌め合わせる一方、他方の切り溝（２５）に一方の構成体（２０）の中央脚部（２２）の下部を嵌め合わせることにより、両構成体（２０）（２１）が十文字状に組み合わされてなる蛍光灯拘束部材（Ｂ）を得る。そして、この蛍光灯拘束部材（Ｂ）の蛍光灯当接部（２６）…を前記被梱包物拘束保持具（Ａ）に拘束されている照明器具に装着された蛍光灯（８１）（８１）（８１）に嵌め合わせる。
【００２５】
その後、二つ折り状にされた扁平なセード拘束部材（Ｃ）を図７に示すように略々八角形を呈するように拡げ、壁面（３２）（３４）（３５）（３７）の下縁に設けられた各立設用係合突片（４３）を対応する被梱包物拘束部の上壁部（２ｂ）の係合孔（４）に嵌め合わせると、セード拘束部材（Ｃ）の立設状態が保持される。この立設状態のセード拘束部材（Ｃ）の内方にセード（Ｓ）を収納し、梱包用箱（Ｋ）を閉蓋し、該閉蓋状態を粘着テープ等を用いて保持させることにより梱包が完了する。
【００２６】
なお、上記実施の形態において、係止片（６）は、がベース板（１）の隅部に設けられてかつ矢印状に形成されているが、上壁部（２ｃ）の折り返し状態を保持して、被梱包物拘束部（２）の所期する形態を保持できるものであれば、その形状や位置は特に限定されるものではない。
【００２７】
【発明の効果】
この発明は、上述の次第で、梱包用箱（Ｋ）の内底に対応する大きさの正方形状の段ボールからなるベース板（１）の対角線上に、ベース板（１）の各隅部に向かって各々折り返される被梱包物拘束部（２）（２）（２）（２）が切り起こし形成され、該被梱包物拘束部（２）に被梱包物抑え片（３）が突設される一方、前記ベース板（１）に（１）に前記各被梱包物拘束部（２）に係合してその折り返し状態を保持する係止片（６）が切り起こし形成され、被梱包物拘束部（２）は、立壁部（２ａ）と該立壁部（２ａ）の上縁から連設された上壁部（２ｂ）とからなり、上壁部（２ｂ）の先端に前記係止片（６）に係合する係止用切欠部（５）が設けられる一方、他端にベース板（１）中央に向かう被梱包物抑え片（３）が連設されてなると共に、前記各上壁部（２ｂ）の左右一対の先端斜辺が、被梱包物拘束部（２）の所期する組立状態の下で、ベース板（１）の二辺に対応するものと設定されているものであるから、１枚の段ボールから作製でき、従来品のようにパルプモールド製品を必要としないので、製作費の削減を行えると共に、保管、管理上も有利である。
【００２８】
また、被梱包物（Ｌ）の水平方向への移動の抑制を確実に行えることはもとより、被梱包物拘束部（２）に被梱包物抑え片（３）が突設されているので、被梱包物（Ｌ）の上方への不本意な移動の抑制も確実に行える。
【００２９】
しかも、被梱包物拘束部（２）を、切り起こし操作、折り返し操作、係止片（６）との係合操作という簡単な操作により、所期する形態に組み立てることができ、組立作業性にも優れているし、その組立のためにステープルや接着剤等を要しないので便利である。
【００３０】
さらに、被梱包物拘束部（２）が、立壁部（２ａ）と該立壁部（２ａ）の上縁から連設された上壁部（２ｂ）とからなり、上壁部（２ｂ）の先端に前記係止片（６）に係合する係止用切欠部（５）が設けられる一方、他端にベース板（１）中央に向かう被梱包物抑え片（３）が連設されてなるものであるから、立壁部（２ａ）の高さと被梱包物抑え片（３）の高さ位置を被梱包物（Ｌ）に合わせたものと設定しておくことにより、被梱包物（Ｌ）をベース板（１）に対して略々固定したような拘束保持状態を実現できる。
【図面の簡単な説明】
【図１】この発明に係る被梱包物拘束保持具の組立途上の斜視図である。
【図２】被梱包物を拘束した同保持具を梱包用箱に収納した状態の斜視図である。
【図３】図２のＩＩＩ  −ＩＩＩ  線断面図である。
【図４】図２のＩＶ−ＩＶ線端面図である。
【図５】被梱包物保持具の展開状態平面図である。
【図６】蛍光灯拘束部材の構成体の平面図である。
【図７】セード拘束部材を装着した状態の斜視図である。
【図８】図７のＶＩＩＩ−ＶＩＩＩ線断面図である。
【図９】セード拘束部材の展開状態平面図である。
【図１０】従来の被梱包物保持具の使用状態の斜視図である。
【図１１】図１０のＸＩ−ＸＩ線断面図である。
【符号の説明】
Ａ…被梱包物拘束保持具
Ｂ…蛍光灯拘束部材
Ｃ…セード拘束部材
Ｋ…梱包用箱
１…ベース板
２…被梱包物拘束部
２ａ…立壁部
２ｂ…上壁部
３…被梱包物抑え片
５…係止用切欠部
６…係止片
【図１】
0003624102.tif 000002
【図２】
0003624102.tif 000003
【図３】
0003624102.tif 000004
【図４】
0003624102.tif 000005
【図５】
0003624102.tif 000006
【図６】
0003624102.tif 000007
【図７】
0003624102.tif 000008
【図８】
0003624102.tif 000009
【図９】
0003624102.tif 000010
【図１０】
0003624102.tif 000011
【図１１】
0003624102.tif 000012